(57)【要約】【課題】発信先の滞在国及び現地時間を正確に把握しながら国際発信を行うこと。【解決手段】複数の携帯電話機１１、１２と、複数の携帯電話機１１、１２の滞在国を管理すると共に、複数の携帯電話機１１、１２の滞在国における現地時間を算出するサーバ１３とを有する移動通信ネットワークシステムにおいて、発信元の携帯電話機１１から発信先の携帯電話機１２の通知を受けると、サーバ１３で携帯電話機１２の滞在国を検索すると共に、当該滞在国における現地時間を算出して携帯電話機１１に送信し、携帯電話機１１で携帯電話機１２の滞在国及び当該滞在国の現地時間を表示することを特徴とする。【選択図】図１
2008187390.tif 000002
【特許請求の範囲】
【請求項１】
複数の移動体端末装置と、前記複数の移動体端末装置の滞在国を管理すると共に、前記複数の移動体端末装置の滞在国における現地時間を算出するサーバ装置とを具備する移動通信ネットワークシステムであって、
発信元の移動体端末装置から発信先の移動体端末装置の通知を受けると、前記サーバ装置で当該発信先の移動体端末装置の滞在国を検索すると共に、当該滞在国における現地時間を算出して前記発信元の移動体端末装置に送信し、前記発信元の移動体端末装置で前記発信先の移動体端末装置の滞在国及び当該滞在国の現地時間を表示することを特徴とする移動通信ネットワークシステム。
【請求項２】
前記発信元の移動体端末装置は、前記サーバ装置から受信した前記発信先の移動体端末装置の滞在国における現地時間の時間帯に応じたアイコンを表示することを特徴とする請求項１記載の移動通信ネットワークシステム。
【請求項３】
前記サーバ装置は、前記複数の移動体端末装置における着信を許容又は拒否する時間帯を示す着信許否時間帯を管理し、前記発信元の移動体端末装置から前記発信先の移動体端末装置の通知を受けると、当該発信先の移動体端末装置の着信許否時間帯を検索して前記発信元の移動体端末装置に送信し、前記発信元の移動体端末装置で前記発信先の移動体端末装置の着信許否時間帯に応じて着信可能である旨又は着信不能である旨を表示することを特徴とする請求項１又は請求項２記載の移動通信ネットワークシステム。
【請求項４】
前記発信元の移動体端末装置は、前記サーバ装置から受信した前記発信先の移動体端末装置の着信許否時間帯に応じて着信不能である旨を表示すると共に、着信可能な時間帯を表示することを特徴とする請求項３記載の移動通信ネットワークシステム。
【請求項５】
前記発信元の移動体端末装置は、前記サーバ装置から受信した前記発信先の移動体端末装置の着信許否時間帯に応じて着信不能である旨を表示する場合、前記発信先の移動体端末装置への発信を保留すると共に、その旨を示すアイコンを表示することを特徴とする請求項３又は請求項４記載の移動通信ネットワークシステム。
【請求項６】
前記発信元の移動体端末装置は、前記発信先の移動体端末装置への発信を保留した後、当該発信先の移動体端末装置の着信可能な時間帯になった場合にその旨を表示することを特徴とする請求項５記載の移動通信ネットワークシステム。
【請求項７】
複数の移動体端末装置の滞在国を管理すると共に、前記複数の移動体端末装置の滞在国における現地時間を算出するサーバ装置に接続される移動体端末装置であって、
発信先の移動体端末装置の指定を受け付ける操作部と、前記発信先の移動体端末装置の滞在国及び当該滞在国における現地時間を前記サーバ装置に要求する発信先情報要求部と、前記サーバ装置から到来する前記発信先の移動体端末装置の滞在国及び当該滞在国における現地時間の時間帯に応じたアイコンを表示する発信先情報表示部と、を具備することを特徴とする移動体端末装置。
【請求項８】
前記サーバ装置で前記移動体端末装置が着信を許容又は拒否する時間帯を示す着信許否時間帯を管理し、前記発信先情報要求部は、前記発信先の移動体端末装置の着信許否時間帯を前記サーバ装置に要求し、前記発信先情報表示部は、前記サーバ装置から到来する前記発信先の移動体端末装置の着信許否時間帯に応じて着信可能である旨又は着信不能である旨を表示することを特徴とする請求項７記載の移動体端末装置。
【請求項９】
複数の移動体端末装置の滞在国を管理すると共に、前記複数の移動体端末装置の滞在国における現地時間を算出するサーバ装置に接続される移動体端末装置を用いた発信方法であって、
発信元の移動体端末装置から発信先の移動体端末装置の通知を受け付けると、前記サーバ装置で当該発信先の移動体端末装置の滞在国を検索すると共に、当該滞在国における現地時間を算出して前記発信元の移動体端末装置に送信し、前記発信元の移動体端末装置で前記発信先の移動体端末装置の滞在国及び当該滞在国の現地時間の時間帯に応じたアイコンを表示し、使用者からの指示に応じて前記発信先の移動体端末装置に発信することを特徴とする発信方法。
【請求項１０】
前記サーバ装置で前記複数の移動体端末装置における着信を許容又は拒否する時間帯を示す着信許否時間帯を管理し、前記発信元の移動体端末装置から前記発信先の移動体端末装置の通知を受けると、前記サーバ装置で当該発信先の移動体端末装置の着信許否時間帯を検索して前記発信元の移動体端末装置に送信し、前記発信元の移動体端末装置で前記発信先の移動体端末装置の着信許否時間帯に応じて着信可能である旨又は着信不能である旨を表示することを特徴とする請求項９記載の発信方法。
【発明の詳細な説明】
【技術分野】
【０００１】
本発明は、移動通信ネットワークシステム、移動体端末装置及び発信方法に関し、特に、国際電話を行う際に好適な移動通信システム、移動体端末装置及び発信方法に関する。
【背景技術】
【０００２】
現在、携帯電話機などの移動体端末装置においては、国際ローミングサービスの提供を受けることができる機種が普及しつつある。このような国際ローミングサービスに対応する移動体端末装置において、自端末の位置を識別し、識別された位置が海外である場合には、当該位置に応じた国際プレフィックスを特定すると共に相手先の国番号を特定し、これらを用いて国際電話番号への変換を行って発信するものが提案されている（例えば、特許文献１参照）。
【特許文献１】特開２００３−３３３１６５号公報
【発明の開示】
【発明が解決しようとする課題】
【０００３】
しかしながら、上述したような移動体端末装置において、発信先の移動体端末装置の現地時間を把握するには煩わしい処理が必要となるため、発信先の現地時間を正確に把握した上で国際発信が行われていない。すなわち、発信先の移動体端末装置の現地時間を把握するためには、例えば、ワールド時計などで当該発信先の移動体端末装置の滞在国を特定した後に当該国の現地時間を確認する必要がある。このため、発信者においては、発信動作を行う前にこのような処理を回避し、大体の現地時間を予想して国際発信を行っているのが実情である。
【０００４】
本発明は、このような実情に鑑みて為されたものであり、発信先の滞在国及び現地時間を正確に把握しながら国際発信を行うことができる移動通信システム、移動体端末装置及び発信方法を提供することを目的とする。
【課題を解決するための手段】
【０００５】
本発明の移動通信ネットワークシステムは、複数の移動体端末装置と、前記複数の移動体端末装置の滞在国を管理すると共に、前記複数の移動体端末装置の滞在国における現地時間を算出するサーバ装置とを具備する移動通信ネットワークシステムであって、発信元の移動体端末装置から発信先の移動体端末装置の通知を受けると、前記サーバ装置で当該発信先の移動体端末装置の滞在国を検索すると共に、当該滞在国における現地時間を算出して前記発信元の移動体端末装置に送信し、前記発信元の移動体端末装置で前記発信先の移動体端末装置の滞在国及び当該滞在国の現地時間を表示することを特徴とする。
【０００６】
この移動通信ネットワークシステムによれば、サーバ装置から発信先の移動体端末装置の滞在国及び当該滞在国における現地時間が通知され、これらの情報が発信元の移動体端末装置で表示されることから、発信者において発信先の移動体端末装置の滞在国及び現地時間を簡単に把握することができるので、発信先の滞在国及び現地時間を正確に把握しながら国際発信を行うことが可能となる。
【０００７】
上記移動通信ネットワークシステムにおいて、前記発信元の移動体端末装置は、前記サーバ装置から受信した前記発信先の移動体端末装置の滞在国における現地時間の時間帯に応じたアイコンを表示することが好ましい。この場合には、発信先の移動体端末装置の滞在国における現地時間の時間帯に応じたアイコンが表示されるので、発信者において直感的に発信先の移動体端末装置の現地時間を把握することが可能となる。
【０００８】
なお、上記移動通信ネットワークシステムにおいて、前記サーバ装置は、前記複数の移動体端末装置における着信を許容又は拒否する時間帯を示す着信許否時間帯を管理し、前記発信元の移動体端末装置から前記発信先の移動体端末装置の通知を受けると、当該発信先の移動体端末装置の着信許否時間帯を検索して前記発信元の移動体端末装置に送信し、前記発信元の移動体端末装置で前記発信先の移動体端末装置の着信許否時間帯に応じて着信可能である旨又は着信不能である旨を表示することが好ましい。この場合には、サーバ装置から発信先の移動体端末装置の着信許否時間帯が通知され、発信元の移動体端末装置で当該着信許否時間帯に応じて着信可能である旨又は着信不能である旨が表示されるので、発信者において、発信先の移動体端末装置に対する発信の可否を簡単に把握することが可能となる。
【０００９】
特に、上記移動通信ネットワークシステムにおいて、前記発信元の移動体端末装置は、前記サーバ装置から受信した前記発信先の移動体端末装置の着信許否時間帯に応じて着信不能である旨を表示すると共に、着信可能な時間帯を表示することが好ましい。この場合には、発信元の移動体端末装置において、発信先の移動体端末装置の着信許否時間帯に応じて着信不能である旨と一緒に着信可能な時間帯が表示されるので、発信者において、発信先の移動体端末装置に対する発信の可否を簡単に把握すると共に、発信することができる時間帯を簡単に把握することが可能となる。
【００１０】
また、上記移動通信ネットワークシステムにおいて、前記発信元の移動体端末装置は、前記サーバ装置から受信した前記発信先の移動体端末装置の着信許否時間帯に応じて着信不能である旨を表示する場合、前記発信先の移動体端末装置への発信を保留すると共に、その旨を示すアイコンを表示するようにしても良い。この場合には、発信先の移動体端末装置への発信を保留した旨を示すアイコンが表示されるので、発信者の注意を喚起することができ、当該発信先の移動体端末装置への発信が行われないで放置される事態を防止することが可能となる。
【００１１】
さらに、上記移動通信ネットワークシステムにおいて、前記発信元の移動体端末装置は、前記発信先の移動体端末装置への発信を保留した後、当該発信先の移動体端末装置の着信可能な時間帯になった場合にその旨を表示することが好ましい。この場合には、発信先の移動体端末装置が着信可能な時間帯になると、その旨が表示されるので、確実に発信者の注意を喚起することができ、当該発信先の移動体端末装置への発信を促すことが可能となる。なお、発信先の移動体端末装置の着信可能な時間帯になった旨の表示を、当該発信先の移動体端末装置に対する発信動作とリンクさせることは実施の形態として好ましい。
【００１２】
本発明の移動体端末装置は、複数の移動体端末装置の滞在国を管理すると共に、前記複数の移動体端末装置の滞在国における現地時間を算出するサーバ装置に接続される移動体端末装置であって、発信先の移動体端末装置の指定を受け付ける操作部と、前記発信先の移動体端末装置の滞在国及び当該滞在国における現地時間を前記サーバ装置に要求する発信先情報要求部と、前記サーバ装置から到来する前記発信先の移動体端末装置の滞在国及び当該滞在国における現地時間の時間帯に応じたアイコンを表示する発信先情報表示部と、を具備することを特徴とする。
【００１３】
この移動体端末装置によれば、サーバ装置から通知される発信先の移動体端末装置の滞在国及び当該滞在国における現地時間が表示されることから、発信者において発信先の移動体端末装置の滞在国及び現地時間を簡単に把握することができるので、発信先の滞在国及び現地時間を正確に把握しながら国際発信を行うことが可能となる。特に、この移動体端末装置によれば、発信先の移動体端末装置の滞在国における現地時間の時間帯に応じたアイコンが表示されるので、発信者において直感的に発信先の移動体端末装置の現地時間を把握することが可能となる。
【００１４】
上記移動体端末装置においては、前記サーバ装置で前記移動体端末装置が着信を許容又は拒否する時間帯を示す着信許否時間帯を管理し、前記発信先情報要求部は、前記発信先の移動体端末装置の着信許否時間帯を前記サーバ装置に要求し、前記発信先情報表示部は、前記サーバ装置から到来する前記発信先の移動体端末装置の着信許否時間帯に応じて着信可能である旨又は着信不能である旨を表示することが好ましい。この場合には、サーバ装置から通知される発信先の移動体端末装置の着信許否時間帯に応じて着信可能である旨又は着信不能である旨が表示されるので、発信者において、発信先の移動体端末装置に対する発信の可否を簡単に把握することが可能となる。
【００１５】
本発明の発信方法は、複数の移動体端末装置の滞在国を管理すると共に、前記複数の移動体端末装置の滞在国における現地時間を算出するサーバ装置に接続される移動体端末装置を用いた発信方法であって、発信元の移動体端末装置から発信先の移動体端末装置の通知を受け付けると、前記サーバ装置で当該発信先の移動体端末装置の滞在国を検索すると共に、当該滞在国における現地時間を算出して前記発信元の移動体端末装置に送信し、前記発信元の移動体端末装置で前記発信先の移動体端末装置の滞在国及び当該滞在国の現地時間の時間帯に応じたアイコンを表示し、使用者からの指示に応じて前記発信先の移動体端末装置に発信することを特徴とする。
【００１６】
この発信方法によれば、サーバ装置から発信先の移動体端末装置の滞在国及び当該滞在国における現地時間が通知され、これらの情報が発信元の移動体端末装置で表示されることから、発信者において発信先の移動体端末装置の滞在国及び現地時間を簡単に把握することができるので、発信先の滞在国及び現地時間を正確に把握しながら国際発信を行うことが可能となる。特に、この発信方法によれば、発信先の移動体端末装置の滞在国における現地時間の時間帯に応じたアイコンが表示されるので、発信者において直感的に発信先の移動体端末装置の現地時間を把握することが可能となる。
【００１７】
上記発信方法においては、前記サーバ装置で前記複数の移動体端末装置における着信を許容又は拒否する時間帯を示す着信許否時間帯を管理し、前記発信元の移動体端末装置から前記発信先の移動体端末装置の通知を受けると、前記サーバ装置で当該発信先の移動体端末装置の着信許否時間帯を検索して前記発信元の移動体端末装置に送信し、前記発信元の移動体端末装置で前記発信先の移動体端末装置の着信許否時間帯に応じて着信可能である旨又は着信不能である旨を表示することが好ましい。この場合には、サーバ装置から発信先の移動体端末装置の着信許否時間帯が通知され、発信元の移動体端末装置で当該着信許否時間帯に応じて着信可能である旨又は着信不能である旨が表示されるので、発信者において、発信先の移動体端末装置に対する発信の可否を簡単に把握することが可能となる。
【発明の効果】
【００１８】
本発明に係る移動通信ネットワークシステム、移動体端末装置及び発信方法によれば、サーバ装置から発信先の移動体端末装置の滞在国及び当該滞在国における現地時間が通知され、これらの情報が発信元の移動体端末装置で表示されることから、発信者において発信先の移動体端末装置の滞在国及び現地時間を簡単に把握することができるので、発信先の滞在国及び現地時間を正確に把握しながら国際発信を行うことが可能となる。
【発明を実施するための最良の形態】
【００１９】
以下、本発明の実施の形態について添付図面を参照して詳細に説明する。
図１は、本発明の一実施の形態に係る移動通信ネットワークシステム（以下、単に「通信システム」という）が適用されるネットワークの構成を示す図である。なお、図１においては、本実施の形態に係る通信システムが有する移動体端末装置の例として、携帯電話機を用いて説明するが、これに限定されるものではなく、適宜変更が可能である。また、図１に示すネットワークにおいては、説明の便宜上、２つの携帯電話機のみが接続される場合について示している。
【００２０】
図１に示すように、本実施の形態に係る通信システムは、ＩＭＴ（International  Mobile  Telecommunication）網等の通信ネットワークで構成される移動通信網１０に接続された複数の携帯電話機１１、１２と、携帯電話機１１、１２の位置情報を含む情報を管理するサーバ装置（以下、「サーバ」という）１３とを含んで構成されている。なお、図１においては、本発明を説明するために簡素化したものであり、移動通信網１０に含まれる交換機などの構成については省略している。
【００２１】
本実施の形態に係る携帯電話機１１、１２は、国際ローミングサービスに対応しており、各種通信サービスの提供を契約した国（以下、「契約国」という）以外の国においても、契約国で使用するのと同様に各種通信サービスの提供を受けることが可能となっている。携帯電話機１１、１２において国際ローミングサービスの提供を受ける場合には、例えば、国際ローミング先の移動通信網を管理する通信事業者において、当該携帯電話機に仮の電話番号を割り当て、その電話番号（ルーティング情報）と自社のネットワークに移動しているという情報をサーバ１３に通知する。サーバ１３においては、通知されたルーティング情報等を登録しておき、当該携帯電話機１１、１２に対する発信等が発生すると、登録されたルーティング情報を用いて国際ローミング先の移動通信網を特定し、当該移動通信網を介して当該携帯電話機１１、１２と接続を行う。
【００２２】
図２は、本実施の形態に係る携帯電話機１１、１２の構成を示すブロック図である。携帯電話機１１、１２は、同一の構成を有するため、代表して携帯電話機１１の構成について説明し、携帯電話機１２の構成については省略する。なお、図２に示す携帯電話機１１の構成は、本発明を説明するために簡略化したものであり、携帯電話機１１は、国際ローミングサービスに対応可能な通常の携帯電話機に必要な処理機能を備えるものとする。
【００２３】
図２に示す携帯電話機１１において、制御部２１は、装置全体の制御を行うものであり、後述する各構成要素の制御を行う。通信部２２は、移動通信網１０を介して他の携帯電話機１２やサーバ１３と通信を行う。なお、これらの制御部２１と通信部２２とによって発信先情報要求部が構成される。操作部２３は、ユーザから入力される携帯電話機１１に対する指示を受け付ける。例えば、操作部２３は、発信先の選択や、当該発信先への発信指示等を受け付ける。表示部２４は、携帯電話機１１の状態に応じた情報を表示する。例えば、表示部２４は、発信先の電話番号や滞在国、現地時間等の情報（以下、適宜「発信先情報」という）等を表示する。
【００２４】
計時部２５は、携帯電話機１１の現在位置（滞在国）における時刻を計時する。例えば、計時部２５は、携帯電話機１１の契約国における現地時間を計時すると共に、当該契約国と現在位置（滞在国）との時差を計算することにより、携帯電話機１１の現在位置における時刻を計時する。なお、計時部２５による現在位置の時刻の計時方法については、これに限定されるものではなく、適宜変更が可能である。
【００２５】
位置検出部２６は、携帯電話機１１の現在の位置情報を検出する。位置検出部２６は、例えば、ＧＰＳ（Global  Positioning  System）ユニットで構成され、幾つかの測位衛星からの電波を受信することにより、携帯電話機１１が存在する地球上の位置（緯度、経度）を検出する。
【００２６】
記憶部２７は、携帯電話機１１における各種処理を実行する際に必要となる情報を記憶する。例えば、発信先の名前又は名称、電話番号及び電子メールアドレス等を含む電話帳データや、後述するようにサーバ１３から通知される発信先情報に応じて表示部２４に表示されるアイコンデータ等を記憶する。なお、上述した制御部２１、表示部２４及び記憶部２７によって発信先情報表示部が構成される。
【００２７】
本実施の形態に係るサーバ１３は、移動通信網１０上に接続される携帯電話機の位置情報（滞在国）を管理すると共に、各携帯電話機から指定された各携帯電話機における着信を許容する時間帯（着信許容時間帯）及び着信を許否する時間帯（着信拒否時間帯）を管理する。また、移動通信網１０上に接続される携帯電話機の滞在国の現地時間を算出する。そして、携帯電話機からの要求に応じて発信先となる携帯電話機の位置情報や着信許否時間帯（着信許容時間帯及び着信拒否時間帯）、並びに、携帯電話機の滞在国の現地時間を、要求してきた携帯電話機に送出する。
【００２８】
図３は、本実施の形態に係るサーバ１３の構成を示すブロック図である。なお、図３に示すサーバ１３の構成は、本発明を説明するために簡略化したものであり、サーバ１３は、通常のサーバが必要とする処理機能を備えるものとする。
【００２９】
図３に示すサーバ１３において、制御部３１は、装置全体の制御を行うものであり、後述する各構成要素の制御を行う。通信部３２は、移動通信網１０を介して携帯電話機１１や携帯電話機１２、並びに、他のサーバ装置（不図示）と通信を行う。計時部３３は、サーバ１３が設置された国（設置国）における時刻を計時する。時差計算部３４は、時差を有する場所に存在する携帯電話機の時刻を管理するためにサーバ１３の設置国の時刻からの時差を計算する。例えば、時差計算部３４は、設置国に対する世界の全部又は一部の国の時差情報を予め把握しておき、サーバ１３の設置国の時刻からの時差を計算する。
【００３０】
記憶部３５は、サーバ１３における各種処理を実行する際に必要となる情報を記憶する。例えば、各携帯電話機の電話番号、契約者の名前又は名称、位置情報（滞在国）及び着信許否時間帯を記憶する。ここで、記憶部３５に記憶される情報について図４を用いて説明する。図４は、本実施の形態に係るサーバ１３の記憶部３５に記憶される情報の一例を示す図である。なお、図４に示す記憶部３５に記憶される情報は、一例を示したものであり、これらに限定されるものではなく、適宜変更が可能である。
【００３１】
記憶部３５においては、図４に示すように、移動通信網１０に接続される各携帯電話機に割り当てられた電話番号、各携帯電話機の契約者の名前／名称、位置情報（滞在国）、並びに、着信許否時間帯が記憶されている。なお、ここで、電話番号及び契約者の名前／名称は、契約の際に記憶されるものである。位置情報は、各携帯電話機の移動に伴って各携帯電話機から通知される位置情報に応じて適宜更新されるものである。着信許否時間帯は、各携帯電話機の使用者から設定されるものである。着信許否時間帯の設定については、いかなる手法を用いても良く、例えば、契約の際に設定するようにしても良いし、使用者の所望のタイミングで各携帯電話機からサーバ１３に対して設定するようにしても良い。
【００３２】
次に、上記構成を有する通信システムにおいて、携帯電話機１１が発信する場合の動作について説明する。図５及び図６は、本実施の形態に係る通信システムにおいて、携帯電話機１１が発信する場合の動作について説明するためのシーケンス図である。図５は、携帯電話機１１が発信先の着信許容時間帯に発信した場合のシーケンスについて示し、図６は、携帯電話機１１が発信先の着信拒否時間帯に発信した場合のシーケンスについて示している。
【００３３】
なお、以下においては、図１に示す携帯電話機１１から携帯電話機１２に発信する場合について説明するものとする。また、携帯電話機１１は、米国に滞在する使用者に携帯され、携帯電話機１２は、日本に滞在する使用者に携帯されているものとする。ここでは、携帯電話機１２は、図４に示す「山田一郎」に携帯されているものとする。さらに、サーバ１３の記憶部３５には、図４に示す情報が記憶されているものとする。すなわち、発信先の携帯電話機１２においては、着信許容時間帯として「９：００〜２１：００」が設定されており、着信拒否時間帯として「２１：００〜９：００」が設定されている。
【００３４】
まず、携帯電話機１１が携帯電話機１２の着信許容時間帯に発信する場合の動作について図５を用いて説明する。図５に示すように、携帯電話機１２に発信を行う場合、まず、使用者から携帯電話機１２が発信先として選択されるので、制御部２１は、操作部２３を介して発信先を受け付ける（ステップ（以下、「ＳＴ」と略す）５１）。
【００３５】
発信先を受け付けると、制御部２１は、通信部２２を介してサーバ１３に対して発信要求を送出する（ＳＴ５２）。この発信要求には、発信先を識別する情報（以下、「発信先識別情報という）が含まれている。ここでは、発信先識別情報として、携帯電話機１２の電話番号が含まれるものとする。この発信要求は、サーバ１３に発信先を通知すると共に、サーバ１３で管理される発信先情報を要求するものである。
【００３６】
携帯電話機１１から発信要求を受信すると、制御部３１は、発信先識別情報に基づいて、発信先である携帯電話機１２の位置情報（滞在国）及び着信許否時間帯を検索すると共に、携帯電話機１２の現地時間を算出する（ＳＴ５３）。この場合、制御部３１は、記憶部３５から携帯電話機１２の滞在国及び着信許否時間帯を検索すると共に、計時部３３により計時された時刻と時差計算部３４による計算結果とに基づいて携帯電話機１２の現地時間を算出する。そして、これらの携帯電話機１２の滞在国、着信許否時間帯及び現地時間を発信先情報として、携帯電話機１１に送出する（ＳＴ５４）。
【００３７】
サーバ１３から発信先情報を受信すると、制御部２１は、表示部２４に発信先情報を表示する（ＳＴ５５）。この場合、表示部２４には、発信先情報を含む確認画面（以下、「発信先情報確認画面」という）が表示される。図７は、本実施の形態に係る携帯電話機１１の表示部２４に表示される発信先情報確認画面の一例を示す図である。
【００３８】
図７に示すように、発信先情報確認画面７０には、発信先である携帯電話機１２の使用者の名前７１、電話番号７２、滞在国７３、現地時間７４、現地の昼夜を示す昼夜アイコン７５、着信許否情報７６、コメント７７、発信を指示する発信ボタン７８、並びに、発信の停止を指示する発信停止ボタン７９が表示される。なお、発信先情報確認画面７０の最下方領域には、発信日時が表示されている。
【００３９】
図７に示す発信先情報確認画面７０において、滞在国７３及び現地時間７４には、サーバ１３から受信した発信先情報に含まれる滞在国及び現地時間が表示される。また、昼夜アイコン７５の内容は、受信した発信先情報に含まれる現地時間に応じて決定される。ここでは、現地時間が５：００〜１７：００の場合に「太陽」を示すアイコンが表示される一方、現地時間が１７：００〜５：００の場合に「月」を示すアイコンが表示されるものとする。「太陽」のアイコンは、現地が昼であることを示すものであり、「月」のアイコンは、現地が夜であることを示すものである。図７に示す発信先情報確認画面７０においては、現地時間が１４：３０であるため、「太陽」を示すアイコンが表示された場合について示している。
【００４０】
さらに、着信許否情報７６及びコメント７７の内容は、受信した発信先情報に含まれる着信許否時間帯に基づいて決定される。ここでは、現地時間が携帯電話機１２の着信許容時間帯の場合に着信許否情報７６に「○」が表示され、コメント７７に「着信可能」というメッセージが表示される一方、現地時間が携帯電話機１２の着信拒否時間帯の場合着信許否情報７６に「×」が表示され、コメント７７に「着信不能」及び「着信可能時間帯」が表示されるものとする。図７に示す発信先情報確認画面７０においては、現地時間（１４：３０）が着信許容時間帯であるため、着信許否情報７６に「○」が表示され、コメント７７に「着信可能」というメッセージが表示された場合について示している。
【００４１】
なお、発信先情報確認画面７０において、使用者の名前７１及び電話番号７２は、記憶部２７に記憶された電話帳データの内容に応じて表示される。図７に示す電話番号７２においては、米国における国際電話識別番号「００１」、発信先である日本の国番号「８１」、国内プレフィックス（電話番号の先頭の「０」）を削除した後の電話番号「９０−１１１１−ＸＸＸＸ」が合成された国際電話番号「００１８１９０１１１１ＸＸＸＸ」が表示された場合について示している。
【００４２】
このように、携帯電話機１１が携帯電話機１２の着信許容時間帯に発信する場合には、実際の発信に先だって図７に示すような発信先情報確認画面７０が表示部２４に表示されるので、発信者は、発信先である携帯電話機１２の滞在国及び現地時間を簡単に把握することが可能となる。これにより、発信先である携帯電話機１２の滞在国及び現地時間を把握した状態で当該発信先に対して国際発信を行うか否かを判断することが可能となる。
【００４３】
図７に示すような発信先情報確認画面７０が表示部２４に表示されると、携帯電話機１１の使用者から発信又は発信停止が指示されるので、制御部２１は、操作部２３を介して指示を受け付ける（ＳＴ５６）。ここでは、使用者から発信が指示されるものとする。使用者から発信指示を受け付けると、制御部２１は、携帯電話機１２に対して発信を行う（ＳＴ５７）。そして、携帯電話機１１の使用者と、携帯電話機１２の使用者との間で通話処理が行われる（ＳＴ５８）。
【００４４】
次に、携帯電話機１１が携帯電話機１２の着信拒否時間帯に発信する場合の動作について図６を用いて説明する。なお、図６において、図５と同一の動作については、同一の符号を付与し、その説明を省略する。
【００４５】
図６に示すように、サーバ１３から発信先情報を受信すると（ＳＴ５４）、制御部２１は、表示部２４に発信先情報を表示する（ＳＴ５５）。これに応じて、表示部２４には、発信先情報確認画面が表示される。この場合において、表示部２４に表示される発信先情報確認画面は、図７に示す発信先情報確認画面７０と一部相違する。図８は、本実施の形態に係る携帯電話機１１の表示部２４に表示される発信先情報確認画面の一例を示す図である。なお、図８において、図７と同一の構成については、同一の符号を付し、その説明を省略する。
【００４６】
図８に示すように、発信先情報確認画面８０には、図７に示す発信先情報確認画面７０と同様に、携帯電話機１２の使用者の名前７１、電話番号７２、滞在国７３、現地時間７４、現地の昼夜を示す昼夜アイコン７５、着信許否情報７６及びコメント７７が表示されるものの、発信ボタン７８及び発信停止ボタン７９が表示されていない。また、図８に示す発信先情報確認画面８０においては、現地時間が３：００であるため、昼夜アイコン７５に「月」を示すアイコンが表示された場合について示している。また、現地時間（３：００）が着信許否時間帯であるため、着信許否情報７６に「×」が表示され、コメント７７に「着信不能」及び「着信可能時間  ９：００〜２１：００」というメッセージが表示された場合について示している。
【００４７】
このように、携帯電話機１１が携帯電話機１２の着信拒否時間帯に発信する場合には、実際の発信に先だって図８に示すような発信先情報確認画面８０が表示部２４に表示されるので、発信者は、発信先である携帯電話機１２の滞在国及び現地時間を簡単に把握することが可能となる。これにより、発信先である携帯電話機１２の滞在国及び現地時間を把握した状態で当該発信先に対して国際発信を行うか否かを判断することが可能となる。
【００４８】
図８に示すような発信先情報確認画面８０を表示部２４に表示した後、一定時間が経過したならば、制御部２１は、発信先情報確認画面８０の表示を停止する。そして、発信先である携帯電話機１２への発信を保留中であることを示す発信保留アイコンを表示部２４の所定位置に表示する（ＳＴ６１）。図９は、本実施の形態に係る携帯電話機１１の表示部２４に表示される発信保留アイコンの一例を示す図である。図９においては、表示部２４に表示される電池残量の側方に発信保留アイコン９１が表示された場合について示している。
【００４９】
この発信保留アイコン９１を表示部２４に表示すると共に、制御部２１は、受信した発信先情報に含まれる着信許否時間帯を記憶部２７に保存する。そして、計時部２５により計時される時刻情報に基づいて、発信先である携帯電話機１２の着信許容時間の開始時刻を判定する。そして、携帯電話機１２の着信許容時間の開始時刻になったならば、制御部２１は、当該発信先である携帯電話機１２に発信を行うか否かを確認する発信確認画面を表示部２４に表示する（ＳＴ６２）。
【００５０】
図１０は、本実施の形態に係る携帯電話機１１の表示部２４に表示される発信確認画面の一例を示す図である。図１０に示す発信確認画面１００においては、「発信保留中の発信先に発信可能です。発信しますか？」という発信確認メッセージ１０１、発信を指示する発信ボタン１０２、並びに、発信のキャンセルを指示するキャンセルボタン１０３が表示される。
【００５１】
図１０に示すような発信確認画面１００が表示部２４に表示されると、携帯電話機１１の使用者から発信又はキャンセルが指示されるので、制御部２１は、操作部２３を介して指示を受け付ける（ＳＴ６３）。ここでは、使用者から発信が指示されるものとする。使用者から発信指示を受け付けると、制御部２１は、携帯電話機１２に対して発信を行う（ＳＴ６４）。そして、携帯電話機１１の使用者と、携帯電話機１２の使用者との間で通話処理が行われる（ＳＴ６５）。
【００５２】
このように本実施の形態に係る通信システムによれば、発信元である携帯電話機１１から発信先である携帯電話機１２の指定がサーバ１３に通知されると、サーバ１３から携帯電話機１２の滞在国及び当該滞在国における現地時間が送信され、これらの情報が携帯電話機１１で表示されることから、発信者において携帯電話機１２の滞在国及び現地時間を簡単に把握することができるので、携帯電話機１２の滞在国及び現地時間を正確に把握しながら国際発信を行うことが可能となる。
【００５３】
また、本実施の形態に係る通信システムにおいては、発信元である携帯電話機１１は、サーバ１３から受信した携帯電話機１２の滞在国における現地時間の時間帯に応じたアイコン（昼夜アイコン７５）を表示することから、発信者において、直感的に携帯電話機１２の現地時間を把握することが可能となる。
【００５４】
なお、上記実施の形態においては、携帯電話機１２の滞在国における現地時間の時間帯に応じて昼又は夜に対応する２種類のアイコンを表示する場合について説明している。しかし、携帯電話機１１に表示されるアイコンの種類については、これに限定されるものではなく、適宜変更が可能である。現地時間の時間帯を細分化し、細分化した時間帯に応じて表示されるアイコンの種類を増やすことは実施の形態として好ましい。
【００５５】
さらに、本実施の形態に係る通信システムにおいては、サーバ１３で複数の携帯電話機における着信許否時間帯を管理し、発信元である携帯電話機１１からの発信先である携帯電話機１２の通知に応じてサーバ１３から携帯電話機１２の着信許否時間帯が通知され、携帯電話機１１で当該着信許否時間帯に応じて着信許否情報７６が表示されるので、発信者において、携帯電話機１２に対する発信の可否を簡単に把握することが可能となる。
【００５６】
特に、本実施の形態に係る通信システムにおいては、発信元である携帯電話機１１において、発信先である携帯電話機１２の着信許否時間帯に応じて着信不能である旨と一緒に着信可能な時間帯が表示されるので、発信者において、携帯電話機１２に対する発信の可否を簡単に把握すると共に、発信することができる時間帯を簡単に把握することが可能となる。
【００５７】
また、本実施の形態に係る通信システムにおいて、発信元である携帯電話機１１は、サーバ１３から受信した携帯電話機１２の着信許否時間帯に応じて着信不能である旨を表示する場合、携帯電話機１２への発信を保留すると共に、その旨を示す発信保留アイコン９１を表示する。これにより、発信者の注意を喚起することができるので、発信先の携帯電話機１２への発信が行われないで放置される事態を防止することが可能となる。
【００５８】
さらに、本実施の形態に係る通信システムにおいて、発信元である携帯電話機１１は、発信先である携帯電話機１２への発信を保留した後、携帯電話機１２の着信可能な時間帯になった場合にその旨を表示する。これにより、携帯電話機１２が着信可能な時間帯になると、携帯電話機１１でその旨が表示されるので、確実に発信者の注意を喚起することができ、当該発信先の移動体端末装置への発信を促すことが可能となる。
【００５９】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【００６０】
例えば、上記実施の形態においては、発信先の携帯電話機１２が着信拒否時間帯であって、携帯電話機１２への発信が保留された場合については、発信保留アイコン９１を携帯電話機１１の表示部２４に表示する場合について説明している。しかしながら、発信者への喚起を促すことを目的として、適宜変更することが可能である。例えば、発信が保留された場合に、当該携帯電話機１２に対する発信を発信履歴に残すようにしても良い。
【図面の簡単な説明】
【００６１】
【図１】本発明の一実施の形態に係る通信システムが適用されるネットワークの構成を示す図である。
【図２】上記実施の形態に係る通信システムが有する携帯電話機の構成を示すブロック図である。
【図３】上記実施の形態に係る通信システムが有するサーバ装置の構成を示すブロック図である。
【図４】上記実施の形態に係るサーバ装置の記憶部に記憶される情報の一例を示す図である。
【図５】上記実施の形態に係る通信システムにおいて、携帯電話機が発信する場合の動作について説明するためのシーケンス図である。
【図６】上記実施の形態に係る通信システムにおいて、携帯電話機が発信する場合の動作について説明するためのシーケンス図である。
【図７】上記実施の形態に係る携帯電話機の表示部に表示される発信先情報確認画面の一例を示す図である。
【図８】上記実施の形態に係る携帯電話機の表示部に表示される発信先情報確認画面の一例を示す図である。
【図９】上記実施の形態に係る携帯電話機の表示部に表示される発信保留アイコンの一例を示す図である。
【図１０】上記実施の形態に係る携帯電話機の表示部に表示される発信確認画面の一例を示す図である。
【符号の説明】
【００６２】
１０  移動通信網
１１、１２  携帯電話機（移動体端末装置）
１３  サーバ装置
２１  制御部
２２  通信部
２３  操作部
２４  表示部
２５  計時部
２６  位置検出部
２７  記憶部
３１  制御部
３２  通信部
３３  計時部
３４  時差計算部
【図１】
2008187390.tif 000003
【図２】
2008187390.tif 000004
【図３】
2008187390.tif 000005
【図４】
2008187390.tif 000006
【図５】
2008187390.tif 000007
【図６】
2008187390.tif 000008
【図７】
2008187390.tif 000009
【図８】
2008187390.tif 000010
【図９】
2008187390.tif 000011
【図１０】
2008187390.tif 000012